(57)【要約】【目的】親子式の地下構造物用蓋に設置する断熱中蓋として、蓋体全体を開閉する必要がないとともに、中蓋を容易に開閉できるようにする。【構成】蓋体１３を、地下構造物の開口１２を開閉可能な親蓋１４と、親蓋１４に設けられた小開口１５を開閉可能な子蓋１６とによって構成し、断熱中蓋は、地下構造物の開口内をほぼ閉じる大きさの親中蓋２１と、親中蓋２１に設けられた小開口１５を開閉可能な子中蓋２３とによって構成し、親中蓋２１の小開口の位置を親蓋１４の小開口２２の位置に合わせて蓋受け枠１１に親掛止部２６によって掛け止め、子中蓋２３は、親中蓋２３の小開口２２に子掛止部２９によって掛け止められるように構成する。【選択図】        図２
2005016132.tif 000002
【特許請求の範囲】
【請求項１】
地下構造物に設けられた開口を閉じる蓋体の内側に断熱のために設置する中蓋であって、蓋体を、地下構造物の開口を開閉可能な親蓋と、親蓋に設けられた小開口を開閉可能な子蓋とによって構成し、断熱中蓋は、地下構造物の開口をほぼ閉じる大きさの親中蓋と、親中蓋に設けられた小開口を開閉可能な子中蓋とによって構成し、親中蓋の小開口の位置を親蓋の小開口の位置に合わせて蓋受け枠に親掛止部によって掛け止め、子中蓋は、親中蓋の小開口に子掛止部によって掛け止められるように構成された地下構造物用親子式断熱中蓋。
【請求項２】
親中蓋は、蓋受け枠の内側に設けられている段部に掛け止められるフック状の親掛止部を有している請求項１記載の地下構造物用親子式断熱中蓋。
【請求項３】
親中蓋は、親蓋小開口の内側に設けられている手掛け又は足掛け類に繋止手段によりつなぎ止めることにより落下防止がなされている請求項１記載の地下構造物用親子式断熱中蓋。
【請求項４】
子中蓋は、親中蓋の小開口に設けられているフランジ状の子掛止部に掛け止められる請求項１記載の地下構造物用親子式断熱中蓋。
【請求項５】
子中蓋は、小形化により親中蓋に対する着脱を容易にするために、折り曲げ可能若しくは分割可能に設けられている請求項１記載の地下構造物用親子式断熱中蓋。
【発明の詳細な説明】
【０００１】
【発明の属する技術分野】
本発明は、地下構造物に設けられた開口を閉じる蓋体の内側に断熱のために設置する中蓋に関するものである。
【０００２】
【従来の技術】
降雪地に設置されているマンホール等の地下構造物では、中を流れている下水温度が真冬でも１０〜１５℃程度と地表温度よりも高いため、その熱がマンホール蓋に伝わり、蓋表面の融雪が促進され、道路上に段差を生じて危険な状態となる。この問題の対策として、断熱用の中蓋をマンホール内に配置することが行われており、従来のものは特開平１０−３３８９４２号の発明に見るように、全体が一体物の板状構造を有していた。
【０００３】
しかし、地下構造物用の蓋には、大型の蓋の一部に必要な大きさの開口を設けて小型の蓋を取り付けた、一般に親子式と呼ばれるものがある。親蓋はマンホール内のポンプその他の設備に対する点検、整備等の機会に開けるだけであるが、子蓋は日常点検で頻繁に開けられる。この場合、断熱用中蓋の形態としては、その機能上、親子式の蓋で閉じられる全面積を覆える大きさのものが必要であり、そうすると子蓋を開けただけでは作業者の出入りや点検等ができなくなってしまい、その都度親蓋を開閉しなければならないことになる。
【０００４】
断熱のための中蓋を使用せず、親子式地下構造物用蓋の親蓋と子蓋の夫々に、断熱材を直接吹き付ける方法もある。しかしこの場合には、断熱材を吹き付けるという製作上の問題があり、また実施には、目的の親子式の蓋を一旦取り外し、断熱材を吹き付けた後、再度取り付けるか、或いは新たに断熱材を吹き付けたものに交換する必要があるため、作業性の問題もある。またコスト面で特別有利という訳でもない。
【０００５】
【発明が解決しようとする課題】
本発明は前記の点に着目してなされたもので、その課題は、親子式の地下構造物用蓋に設置する断熱中蓋として、蓋体全体を開閉する必要がないとともに、中蓋を容易に開閉することができるようにすることである。また本発明の他の課題は、既設のマンホールにも容易に設置が可能であり、かつ取り扱い易い地下構造物用親子式断熱中蓋を提供することである。
【０００６】
【課題を解決するための手段】
前記の課題を解決するため本発明は、蓋体は地下構造物の開口を開閉可能な親蓋と、親蓋に設けられた小開口を開口可能な子蓋とによって構成し、断熱中蓋は、地下構造物の開口をほぼ閉じる大きさの親中蓋と、親中蓋に設けられた小開口を開閉可能な子中蓋とによって構成し、親中蓋の小開口の位置を親蓋の小開口の位置に合わせて蓋受け枠に親掛止部によって掛け止め、子中蓋は、親中蓋の小開口に子掛止部によって掛け止められるように構成するという手段を講じたものである。
【０００７】
親子式の地下構造物用蓋は、図１、図２に示されているように、地下構造物の開口に蓋受け枠を用いて取り付けられる円形の蓋で、子蓋が親蓋の外周に片寄って設けられているものであることが多い。親蓋は、地下構造物内部の設備のために相当大きく、開閉が容易でないため、人孔即ちマンホールを親蓋に設け、それを子蓋によって開閉可能とするものである。
【０００８】
断熱中蓋は、地下構造物の開口をほぼ閉じることができる大きさの親中蓋を有する。親中蓋は、地下構造物用蓋全体を取り外したときに、地下構造物内に設置され、内部へのアクセスのために、親蓋に小開口を設け、それを子中蓋で開閉できるようにする。子中蓋の位置、即ち親蓋の小開口の位置は、蓋体を構成する親蓋の小開口の位置に合わせる。
【０００９】
親中蓋は、蓋受け枠に、親掛止部により掛け止めることによって取り付ける。また子中蓋は、子掛止部によって親中蓋に取り付ける。親掛止部、子掛止部とも具体的構造を特定する必要はないが、子掛止部については、子中蓋を着脱する必要上、より取り扱い容易であることが望まれる。親掛止部、子掛止部のどちらについても、相手側に上方から掛けて止める方法であることが望ましい。
【００１０】
例えば、蓋受け枠の内側に存在している段部に掛け止められるフック状のものは親掛止部に適する。また親中蓋の内側に設けられているフランジ状の部分は子掛止部に適している。親掛止部も子掛止部も、相手側に掛け止めるものであり、容易に取り外せることを予定しているが、不意に落下してしまうおそれがあり、その場合には回収に手間が掛かるので繋止手段を用いて何ものかにつなぎ止めるようにしておくことが望ましい。
【００１１】
子中蓋については、親蓋の小開口だけを開けて、開ける操作に入るものであるが、作業空間は限られており十分な余裕がある訳ではないので、さらに小型化することができれば作業はより容易化する。そこで、子中蓋を折り曲げ可能若しくは分割可能（分解されても良い。）とすることにより作業を容易化することができる。
【００１２】
【発明の実施の形態】
以下図示の実施形態に基いて本発明をより詳細に説明する。図１、図２は本発明の親子式断熱中蓋２０を適用した地下構造物用蓋装置１０を示しており、１１は地下構造物の蓋受け枠、１２はその開口、１３は蓋体であり、上記開口１２を開閉可能な親蓋１４と、親蓋１４に設けられた小開口１５を開閉可能な子蓋１６とによって構成されている。小開口１５は、親蓋１４の中心から外周方向へずれた位置に設けられ、その位置で親蓋１４との間がヒンジ機構１７でつながれていて、開蓋により子蓋１６を親蓋外方へ反転させることができる。
【００１３】
断熱中蓋２０は、地下構造物の開口をほぼ閉じることができる平面積を有する親中蓋２１と、親中蓋２１に設けられた小開口２２を開閉可能な子中蓋２３とによって構成されている（図３）。例示の親中蓋２１は、蓋受け枠１１を据え付けてある側塊及び嵩上げ枠等から成る基礎構造物３９をほぼ閉塞できる程度の外径を有する。断熱中蓋２０は断熱材から成る板状の部材２４であり、外周に縁枠２５を有しており、かつ外周部分にはフック状の親掛止部２６が複数個ほぼ等間隔で設けられている。例示の親掛止部２６は弾性片より成り、先端部を蓋受け枠１１に存在している掛け止め可能な段部などの相手側１８へ押し付けるようにして掛け止めることを可能にする。
【００１４】
図３において、符号２７は切欠部を示しており、断熱中蓋２０の外周部分に設けられている。この切欠部２７は、親蓋１４をボルト結合するため蓋受け枠１１に設けられた、ボルト取り付け座１９との抵触を避けることにより、親中蓋２１の設置を容易にするために複数箇所設けられている。
【００１５】
例示の子中蓋２３は、円形の小開口２２に収まる大きさ形状を有しており、また中央部で左右２部分に分けられ、かつその部分に設けたヒンジ２８において折り曲げ可能に設けられている。子中蓋２３は、小開口２２に設けられているフランジ状の子掛止部２９に掛け止められている。３１は位置決め凹部で、子中蓋２３の外周に設けられ、小開口２２に突出した凸部３２と係合する。また３３は補強片であり、小開口２２に必要数設けられ、ウレタン樹脂等で形成されたフランジ状の子掛止部２９の補強を行う。
【００１６】
子中蓋２３も断熱材から成っており、左右２部分には繋止手段として補助ベルト３４が設けられていて、これは、親蓋小開口１５の内側に設けられている手掛け又は足掛け類その他の部分３５につなぎ止めて置くおくために使用される（図１及び図６参照）。同様の繋止手段として補助ベルト３６が親中蓋２１にも設けられており、上記補助ベルト３４と共に足掛け類等の部分３５につなぎ止めるのに使用される。
【００１７】
このように構成されている本発明の地下構造物用親子式断熱中蓋２０は、設置状態において、図２及び図４に示すように地下構造物用蓋装置１０の開口部を閉塞し、地下構造物内部を流れている下水の温度がマンホール蓋即ち親子式の蓋体１３に伝わるのを防止することとなる。子中蓋２３は、子掛止部２９において親中蓋２１の小開口２２に嵌まり込み、一体化しているため、断熱性が、親子式であることによって損なわれることはないので、断熱性能は一体物の断熱中蓋の場合と変わらず、融雪の促進されることがない。
【００１８】
作業等の必要により地下構造物内に入るときには子蓋１６を開け、さらに子中蓋２３を外してマンホール即ち小開口２２を開く。このとき親中蓋２１は補助ベルト３６によって足掛け類等の部分３５につなぎ止められている。作業を行う者が小開口２２から内部へ出入りする際には、図１、図６等に示すように、出入り口である小開口２２が足掛け類等の部分３５に位置しており、そこには昇降用の補助梯子３７を立てることができるので、これら及び内部のステップ３８を利用して安全に行動することができる。
【００１９】
なお子中蓋２３の大きさは、出入りの都合上、子蓋１６とほぼ同径にする必要があり、小径にすることができない。その上、断熱中蓋２０は蓋体１３から下方に離れた位置に配置されているので、蓋体１３の小開口１５から取り出しにくい。しかし本発明では、ヒンジ２８にて子中蓋２３を折り曲げられ、幅を狭ばめることができるため取り扱いを容易に行えるようになる。
【００２０】
【発明の効果】
本発明は以上の如く構成されかつ作用するものであるから、親子式の地下構造物用蓋に設置する断熱中蓋全体を取り外す必要がないとともに、開閉作業を容易に行なうことができ、また本発明は既設のマンホールにも何の改造を施すことなく設置することができ、コストも最小限度で済むなど顕著な効果を奏する。
【図面の簡単な説明】
【図１】本発明に係る親子式断熱中蓋を適用した地下構造物用蓋装置全体を示す平面
図。
【図２】図１のＩＩ−ＩＩ線断面図。
【図３】断熱中蓋の１例を示す分解斜視図。
【図４】親子式蓋体を取り外し断熱中蓋を取り付けた状態を示す平面図。
【図５】図４の中央縦断面図。
【図６】断熱中蓋の子中蓋を取り外した状態を示す平面図。
【図７】図６の中央縦断面図。
【符号の説明】
１０  地下構造物用蓋装置
１１  蓋受け枠
１２  開口
１３  蓋体
１４  親蓋
１５  親蓋の小開口
１６  子蓋
１７  ヒンジ機構
２０  断熱中蓋
２１  親中蓋
２２  親中蓋の小開口
２３  子中蓋
２６  親掛止部
２７  切欠部
２８  ヒンジ
２９  子掛止部
３１  位置決め凹部
３２  凸部
３４、３６  補助ベルト
【図１】
2005016132.tif 000003
【図２】
2005016132.tif 000004
【図３】
2005016132.tif 000005
【図４】
2005016132.tif 000006
【図５】
2005016132.tif 000007
【図６】
2005016132.tif 000008
【図７】
2005016132.tif 000009